(57)【要約】【課題】映像信号の待機時に節電対策を行う表示出力装置を提供する。【解決手段】  ＤＶＤレコーダ１は、第１スカートコネクタ１１、第２スカートコネクタ１２、入出力部１０、レコーダ本体部２、第１電子スイッチ３１、メイン電源３を備える。入出力部１０は、映像入出力コンポジット用電源１３、マイコン１４、パワーオン電源１５、第１電子スイッチ１６、音声入出力用電源１７、映像ＲＧＢ入出力用電源１８、リモコン受信部１９を備える。マイコン１４は、電源オフ状態でない限り、常時オンになっている。スタンバイ状態では、マイコン１４は、第２電子スイッチ３１をオフにして、レコーダ本体部２への電力供給を遮断する。また、８ｐｉｎ入力１４１に信号が入力されていない場合には、第１電子スイッチ１６をオフにして、電源１７、１８への電力供給を遮断する。【選択図】図２
2009049832.tif 000002
【特許請求の範囲】
【請求項１】
映像信号と共に制御信号を入力することが定められた規格に適合する第１コネクタ、第２コネクタと、
前記第１コネクタ、第２コネクタ間で信号を通す中継部と、
前記中継部を作動させる電力を供給する電源と、を備えた映像出力装置において、
前記電源のオン、オフを切り換える電子スイッチと、
前記制御信号を前記第１コネクタ、第２コネクタのいずれかから入力して、前記制御信号の入力を検出することにより、前記映像信号の入力を検出する制御部と、を備え、
前記制御部は、前記制御信号の入力を検出した場合には、電子スイッチをオンにして、前記制御信号の入力を検出しない場合には、電子スイッチをオフにする映像出力装置。
【請求項２】
前記第１コネクタおよび第２コネクタは、ヨーロッパ規格のＥＮ５００４９−１と互換性があるスカートコネクタである請求項１に記載の映像出力装置。
【発明の詳細な説明】
【技術分野】
【０００１】
本発明は、映像信号の待機時に節電対策を行う映像出力装置に関する。
【背景技術】
【０００２】
従来、特定の視聴者だけに放送を配信するためのスクランブルを解除するスクランブル解除機器が実用化されている。このスクランブル機器でスクランブルを解除した映像を記録するため、ビデオレコーダ（映像出力装置）をスクランブル機器とテレビに接続することが行われている。また、ヨーロッパ向けの装置には、これらを接続するためにスカート端子を設けたビデオレコーダが開発されている。
【０００３】
ところで、このようにビデオレコーダを接続している場合でも、このような放送の番組を視聴するときには、必ずしも録画再生系を作動させるメイン電源をオンにしている必要はない。しかし、そこで、録画や、録画した番組の再生をしないときには、このメイン電源をオフにして、映像信号を選択するセレクタと、映像信号を増幅して中継するアンプの電源をオンにしていた。
【０００４】
特許文献１には、節電を行うテレビジョン受像機が開示されている。特許文献２には、信号切換回路、検出信号生成回路がを備えたビデオカセットレコーダが開示されている。この特許文献の信号切換回路は、信号を検出するためのクランプ回路と中継アンプを備え、検出信号生成回路は、クランプ回路および基準電源を入力とするコンパレータを備えている。この構成によれば、信号切換回路の中継アンプの電源をオフにできる。
【特許文献１】特開平０５−２３６３９４号公報
【特許文献２】実登３０９２１６８号公報
【発明の開示】
【発明が解決しようとする課題】
【０００５】
しかしながら、従来は、映像信号を入力しない待機時にも、映像信号を受けるために、スカートコネクタの端子のすべてに電力を供給していた。したがって、例えば、約１Ｗの待機電力が必要であった。映像信号を入力しない待機時にも電源を必要とするため、エネルギーの無駄になっていた。特許文献１の構成では、入力切換回路３の電源を常にオンにする必要があった。特許文献２の構成では、クランプ回路の電源は不要としても、検出信号生成回路に電力を供給する必要があった。この構成の検出信号生成回路は、スカートコネクタの端子のすべてに電力を供給し検出する必要があった。
【０００６】
そこで、本発明は、映像信号の待機時に節電対策を行う表示出力装置を提供することを目的とする。
【課題を解決するための手段】
【０００７】
上記課題を解決するために、以下の構成を備えることができる。
【０００８】
（１）  映像信号と共に制御信号を入力することが定められた規格に適合する第１コネクタ、第２コネクタと、
前記第１コネクタ、第２コネクタ間で信号を通す中継部と、
前記中継部を作動させる電力を供給する電源と、を備えた映像出力装置において、
前記電源のオン、オフを切り換える電子スイッチと、
前記制御信号を前記第１コネクタ、第２コネクタのいずれかから入力して、前記制御信号の入力を検出することにより、前記映像信号の入力を検出する制御部と、を備え、
前記制御部は、前記制御信号の入力を検出した場合には、電子スイッチをオンにして、前記制御信号の入力を検出しない場合には、電子スイッチをオフにする。
【０００９】
この構成では、制御部は、前記制御信号の入力を検出した場合には、電子スイッチをオンにして、前記制御信号の入力を検出しない場合には、電子スイッチをオフにする。したがって、中継部へ信号が通過していることを検出できるから、通過していない場合には、節電することができる。また、この構成では、中継部を通過するすべての信号を検出しなくてもよいから、中継部内部を通過する信号をすべて検出するような構成は不要になる。信号待機時の電力をさらに低減することが可能になる。また、中継部を通過するすべての信号を検出しなくてもよいから、副次的効果として、内部の配線を簡素にすることができる。
【００１０】
（２）  前記第１コネクタおよび第２コネクタは、ヨーロッパ規格のＥＮ５００４９−１と互換性があるスカートコネクタであるとすることができる。
【発明の効果】
【００１１】
本発明の映像出力装置によれば、映像信号の待機時に、節電を行うことができる。
【発明を実施するための最良の形態】
【００１２】
図１を用いて、本実施形態のＤＶＤレコーダを含む放送受信システム１００について説明する。図１（Ａ）は、このシステム全体の外観図、図１（Ｂ）は、構成機器の接続方法を表わす図である。
【００１３】
放送受信システム１００は、ＤＶＤレコーダ１、アンテナ１０１、テレビ１０２、スクランブル解除機器１０３、リモコン１０９を備え、これらは、互いにヨーロッパ規格のＥＮ５００４９−１に適合する規格のコネクタを両端に有する第１ケーブル１０４、第２ケーブル１０５で接続されている。ＤＶＤレコーダ１は、ヨーロッパ規格のＥＮ５００４９−１に適合する規格の第１スカートコネクタ１１、第２スカートコネクタ１２を備えている。
【００１４】
なお、以下では、これらのコネクタを第１コネクタ１１、第２コネクタ１２と称する。
【００１５】
ＤＶＤレコーダ１は、映像を録画し、録画した映像を再生してテレビ１０２に出力する。また、ＤＶＤレコーダ１は、録画、再生しないときは、録画、再生をするレコーダ本体部の電源をオフにして、スクランブル解除機器１０３から出力される映像信号を画像表示装置１０２へ中継している。
【００１６】
アンテナ１０１は、電波を受信する。装置１は、受信した電波から所定の放送の映像信号、音声信号を抽出して、出力する。また、装置１は、受信した電波を画像表示装置１０２にも出力する。
【００１７】
テレビ１０２は、受信部、モニタ、音声出力部、スピーカを備えている。受信部は、アンテナ１０１から入力した放送信号から、映像信号、音声信号を抽出して出力する。モニタは、静止画像、映像を表示する。モニタは、例えば、液晶モニタ、プラズマモニタ、ＥＬモニタ、ブラウン管、プロジェクタなどで構成する。音声出力部は、入力した音声を拡張して、スピーカに出力する。スピーカは音声を放音する。スクランブル解除機器１０３は、特定の視聴者だけに放送を配信するためのスクランブルを解除する。リモコン１０９は、操作子と送信部を備え、操作子が押されると、ＤＶＤレコーダ１に操作の信号を送信する。
【００１８】
図１（Ｂ）を用いて、スカートコネクタの接続部について説明する。この図は、ＤＶＤレコーダ１、機器１０３間のスカートコネクタの結線図を表わしている。また、この図は、BRITISH STANDARD BS EN 50049-1:1998のPage13のコピーに符号を付したものである。機器１０３は、第３スカートコネクタ１０６を有している。また、第１ケーブル１０４は、詳細には、両端に第４スカートコネクタ１０７、第５スカートコネクタ１０８を有している。第３スカートコネクタ１０６と、第４スカートコネクタ１０７は、雄雌のコネクタを形成している。第２コネクタ１２と、第５スカートコネクタ１０８も同様である。このコネクタを介して、映像信号、音声信号、制御信号を同時に伝送することができる。なお、以上の説明は、ＤＶＤレコーダ１、テレビ１０２との間も同様である。
【００１９】
次に、図２の構成図を用いて、ＤＶＤレコーダ１について説明する。ＤＶＤレコーダ１は、前述した第１コネクタ１１、第２コネクタ１２、入出力部１０、レコーダ本体部２と、メイン電源３、第１電子スイッチ３１を備える。
【００２０】
ここで、ＤＶＤレコーダ１の電源の状態について定義する。入出力部１０、レコーダ本体部２両方が起動している状態を「メイン電源オンの状態」と称する。入出力部１０が起動しており、レコーダ本体部２が電源オフの状態を「スリープ状態」と称する。また、図示しないＤＶＤレコーダ１に付属の電源スイッチをオフにした状態を「電源オフの状態」と称する。この電源オフの状態では、ＤＶＤレコーダ１内のすべての電源の供給が停止する。
【００２１】
なお、電源スイッチをオンにした状態で、リモコン１０９の電源ボタンを押すと、「メイン電源オンの状態」、「スリープ状態」のいずれかに移行する。ＤＶＤレコーダ１で録画できるように放送受信システム１００を組むと、スクランブルがかかった放送を受信するためには、入出力部１０に信号を中継することが必要になる。したがって、このようなシステムは、電源オフの状態ではスクランブルがかかった放送を受信できない。
【００２２】
第１コネクタ１１、第２コネクタ１２は、それぞれ２１個の端子を備えており、映像信号、音声信号、制御信号を外部と接続する。これらの端子の一部は、グラウンドＧに接続されている。なお、図２中では、第１コネクタ１１、第２コネクタ１２に接続された信号系統をそれぞれ「ＡＶ１」、「ＡＶ２」と付している。
【００２３】
入出力部１０は、映像入出力コンポジット用電源１３（図面には、「コンポジット用電源」と記載している。）、マイコン１４、パワーオン電源１５、第２電子スイッチ１６、音声入出力用電源１７、映像ＲＧＢ入出力用電源１８、リモコン受信部１９を備える。入出力部１０は、また、これら１３、１４、１７、１８の構成と第１コネクタ１１、第２コネクタ１２とを接続する構成を備える。
【００２４】
電源１３、電源１７、電源１８は、それぞれ、コネクタ１２、１３間で信号を中継するよう接続されている。これにより、スリープ状態でも、テレビ１０２と、スクランブル解除機器１０３の間で信号を通すことができる。また、電源１３、電源１７、電源１８は、それぞれ電源のほかにアンプを備えている。これらのアンプは、中継する信号を増幅して減衰を防ぐ。
【００２５】
パワーオン電源１５（図中「Ｐ−ＯＮ電源」と表記している。）は、電源１７、電源１８に電力を供給する。メイン電源３は、電源をレコーダ本体部２に供給する。
【００２６】
第１電子スイッチ３１、第２電子スイッチ１６は、トランジスタ、ＦＥＴ、または電磁スイッチで構成する。マイコン１４が電圧を供給し、またはその供給を停止すると、スイッチ１６、３１が開閉する（これを、オン／オフと称する。）。なお、これらのスイッチは、独立に開閉する。第２電子スイッチ１６は、電源１７、電源１８への電力供給のオン／オフを同時に切り換える。
【００２７】
なお、映像入出力コンポジット用電源１３には、電源オフの状態でない限り、レコーダ本体部２の動作、映像信号の入出力にかかわらず、常に電源オンの状態である。したがって、映像入出力コンポジット用電源１３は、内部のアンプに常に電力を供給している。これにより、電源１３は、コネクタ１１，１２間で常に信号を増幅し、中継することができる。また、マイコン１４、リモコン受信部１９も電源１３と同様、電源オフの状態でない限り、常にオンの状態にある。したがって、リモコン受信部１９の信号を常時受け付ける。
【００２８】
マイコン１４は、本発明の制御部に相当する。マイコン１４は、マイクロコンピュータ、またはこれを含むシステムＩＣで構成する。マイコン１４は、ＣＰＵ、ＲＯＭ、ＲＡＭを備え、ＣＰＵは、ＲＯＭ内に記録されたサブプログラムを実行する。
【００２９】
図２では、マイコン１４への制御信号の入出力を点線で表示している。マイコン１４の入力は、リモコン受信部１９からの入力、８ｐｉｎ入力１４１、１６ｐｉｎ入力１４２である。マイコン１４は、リモコン受信部１９からユーザが操作するリモコン１０９の操作を受け付ける。この操作には、電源ボタンの操作を含んでいる。マイコン１４は、電源ボタンの操作を受けると、サブプログラムを実行して、「メイン電源オンの状態」、「スリープ状態」に互いに移行させる。具体的には、マイコン１４は、レコーダ本体部２に供給するメイン電源３の第１電子スイッチ３１のオン／オフを切り換える。
【００３０】
また、８ｐｉｎ入力１４１には、制御信号が入力される。この制御信号は、スクランブル解除機器１０３から、他の端子へ入力される映像信号と同時に入力される。したがって、マイコン１４は、映像信号が入力されているか否かを検出することができる。これにより、マイコン１４は、８ｐｉｎ入力１４１に制御信号が入力されていないと判断すると、第２電子スイッチ１６のスイッチをオフにする。これにより、音声入出力用電源１７、映像ＲＧＢ入出力用電源１８への電源の供給が停止する。また、マイコン１４は、８ｐｉｎ入力１４１に制御信号が入力されたと判断すると、第２電子スイッチ１６のスイッチをオンにする。これにより、パワーオン電源１５は、電源１７、電源１８へ電力を供給することが可能になる。
【００３１】
このようにして、マイコン１４が、制御信号の有無により、第１スカートコネクタ１１、第２スカートコネクタ１２間の映像信号、音声信号の入力の有無を判断しているので、音声入出力用電源１７、映像ＲＧＢ入出力用電源１８に入力される信号の端子すべてを監視する必要はなく、その監視のための電力を供給する必要がない。また、内部の配線を簡素に構成することができる。
【００３２】
なお、マイコン１４が映像信号、音声信号の入力の有無を判断することは、本発明の「制御信号の入力を検出」することに相当する。
【００３３】
リモコン受信部１９は、赤外受光部を有し、ユーザのリモコン１０９から、操作の指示を受け付け、マイコン１４に操作の信号を伝送する。
【００３４】
レコーダ本体部２は、エンコーダ２１、記録／読取部２２、記録媒体２３、デコーダ２４、ＯＳＤ合成部２５、制御部２９を備えている。映像の録画時には、エンコーダ２１は、Ｒ入力１８１、Ｇ入力１８２、Ｂ入力１８３を入力して、記録できる形式にコード化する。記録媒体２３は、ハードディスク、ＤＶＤ等の光ディスク、フラッシュメモリである。記録／読取部２２は、これらのいずれかの１以上の記録媒体２３にアクセスして、映像データ、音声データをこれに記録する。
【００３５】
映像の再生時には、記録／読取部２２は、記録媒体２３にアクセスして、映像データ、音声データを読み出す。デコーダ２４は、エンコードされた映像データ、音声データをデコードして映像信号、音声信号を取り出して、Ｒ出力１８４、Ｇ出力１８５、Ｂ出力１８６からテレビ１０２に映像信号、音声信号を出力する。
【００３６】
ＯＳＤ合成部２５は、デコーダ２４の出力にＤＶＤレコーダ１の状態を表わすＯＳＤ（On Screen Display）を合成して出力する。デコーダ２４から映像信号が出力されている場合には、この映像信号とＯＳＤを合成し、出力部６に出力する。また、この映像信号の出力を禁止して、ＯＳＤのみを出力してもよい。
【００３７】
なお、アナログ形式の映像信号、音声信号を、エンコーダ２１に入力する場合には、エンコーダ２１の前段には、ＡＤコンバータを設ける。また、音声入出力用電源１７、映像ＲＧＢ入出力用電源１８は、内部にセレクタを備えている。これにより、Ｒ入力１８１、Ｇ入力１８２、Ｂ入力１８３と、レコーダ本体部２で再生した映像信号の入力を切換える。
【００３８】
受信部２６は、アンテナ１０１からＦコネクタを介して、放送信号を受信し、映像信号、音声信号をエンコーダ２１に出力する。受信部２６は、アナログ放送の受信部でも、デジタル放送の受信部でもよい。スクランブルのかかっていない放送については、ＤＶＤレコーダ１内の受信部２６により受信できる。一方、スクランブルのかかっていない放送については、以下で述べるように、スクランブル解除機器１０３から出力された信号をエンコーダ２１に出力することで、その放送を録画できる。具体的には、映像ＲＧＢ入出力用電源１８のＲ入力１８１、Ｇ入力１８２、Ｂ入力１８３から映像信号を入力し、ＡＶ１−Ａ−ＩＮ−Ｌ１７５、ＡＶ１−Ａ−ＩＮ−Ｒ１７６から音声信号を入力して、これらをエンコーダ２１に出力する。
【００３９】
次に、図１、図２を用いて、スクランブル解除機器１０３を用いる場合の信号の入出力について、より詳しく補足説明をする。以下の伝送経路１〜７により信号が伝送される。これにより、テレビ１０２は、スクランブルを解除した映像、音声を出力する。
【００４０】
＜伝送経路１＞アンテナ１０１から入力した放送信号は、Ｆコネクタ、図示しない分配器を経て、再度、外部に出力され、第２ケーブル１０５と異なるアンテナケーブルを介して、テレビ１０２へ出力される。
【００４１】
＜伝送経路２＞テレビ１０２内の受信部は、映像信号、音声信号を抽出する。この映像信号は、スクランブルがかかった状態である。この映像信号、音声信号は、第２ケーブル１０５を介して、ＤＶＤレコーダ１に入力される。
【００４２】
＜伝送経路３＞ＤＶＤレコーダ１に入力されたこれらの信号のうち、映像信号は、第１スカートコネクタ１１、端子Ｔ２０、ＡＶ１−Ｖ−ＩＮ１３１を介して、映像入出力コンポジット用電源１３に入力される。電源１３は、内部のアンプによりこの映像信号を増幅する。増幅した信号は、ＡＶ２−Ｖ−ＯＵＴ１３２を介して、第２スカートコネクタ１２の端子ｔ２０に出力される。また、音声信号については、端子Ｔ７、Ｔ２、ＡＶ１−Ａ−ＩＮ−Ｌ１７１、ＡＶ１−Ａ−ＩＮ−Ｒ１７２を介して音声入出力用電源１７に入力される。電源１７は、内部のアンプによりこの音声信号を増幅する。増幅した信号は、ＡＶ１−Ａ−ＩＮ−Ｒ１７３、ＡＶ１−Ａ−ＩＮ−Ｒ１７４を介して、第２スカートコネクタ１２の端子ｔ３、ｔ１に出力される。
【００４３】
＜伝送経路４＞端子Ｔ２０、Ｔ３、Ｔ１から出力された映像信号、音声信号は、第１ケーブル１０４を介して、スクランブル解除機器１０３に出力される。
【００４４】
＜伝送経路５＞スクランブル解除機器１０３は、スクランブルがかかった映像信号、音声信号をデコードする。このとき、スクランブル解除機器１０３は、ＲＧＢに分離した映像信号も同時に出力する。また、映像信号の出力と略同時に、制御信号を出力する。これらデコードされた信号および制御信号は、再度、第１ケーブル１０４を介して、ＤＶＤレコーダ１に出力される。
【００４５】
＜伝送経路６＞スクランブル解除機器１０３から出力された映像信号は、端子ｔ１９、ＡＶ１−Ｖ−ＩＮ１３３を介して、映像入出力コンポジット用電源１３に入力される。また、スクランブル解除機器１０３がＲＧＢに分離した映像信号は、端子ｔ１５、ｔ１１、ｔ７を、Ｒ入力１８１、Ｇ入力１８２、Ｂ入力１８３を介して、映像ＲＧＢ入出力用電源１８に入力される。電源１７は、内部のアンプによりＲ、Ｇ、Ｂの映像信号を増幅する。増幅した映像信号は、Ｒ出力１８４、Ｇ出力１８５、Ｂ出力１８６を介して、それぞれ第１コネクタ１１の端子Ｔ１５、Ｔ１１、Ｔ７に出力される。
【００４６】
また、スクランブル解除機器１０３から出力された音声信号は、端子ｔ６、ｔ２に出力される。これらの信号は、端子ｔ６、ｔ２、ＡＶ１−Ａ−ＩＮ−Ｌ１７５、ＡＶ１−Ａ−ＩＮ−Ｒ１７６を介して、音声入出力用電源１７に入力される。電源１７は、内部のアンプによりＬ、Ｒの音声信号を増幅する。増幅した音声信号は、それぞれＡＶ２−Ａ−ＯＵＴ−Ｌ１７７、ＡＶ２−Ａ−ＯＵＴ−Ｒ１７８を介して、第１コネクタ１１の端子Ｔ３、Ｔ１に出力される。
【００４７】
＜伝送経路７＞
ＤＶＤレコーダ１から出力された映像信号、音声信号は、再度、テレビ１０２に出力され、スクランブルが解除された状態の映像信号、音声信号をそれぞれモニタにスピーカに出力する。
【００４８】
なお、伝送経路６において、映像信号のＲ入力１８１、Ｇ入力１８２、Ｂ入力１８３、および、音声信号のＡＶ１−Ａ−ＩＮ−Ｌ１７５、ＡＶ１−Ａ−ＩＮ−Ｒ１７６は、メイン電源オンの状態の時には、電源１７、１８内部のアンプにより増幅された状態で、エンコーダ２１にも入力される。これにより、スクランブルが解除された映像信号、音声信号をそれぞれ録画、録音することができる。
【００４９】
次に、図３のフロー図を用いて、以上で説明したマイコン１４の処理についてまとめる。ＳＴ１で、８ｐｉｎ入力１４１から制御入力があるかどうか判断する。制御入力がある場合には（ＳＴ２のＹＥＳ）、ＳＴ２で、第２電子スイッチ１６のスイッチをオンにする。これにより、パワーオン電源１５から音声入出力用電源１７、映像ＲＧＢ入出力用電源１８へ電源が供給される。制御入力がない場合には（ＳＴ２のＮＯ）、ＳＴ３で、第２電子スイッチ１６のスイッチをオフにする。これにより、パワーオン電源１５から音声入出力用電源１７、映像ＲＧＢ入出力用電源１８への電源の供給が遮断される。なお、マイコン１４の実装上は、制御入力の有無に応じて処理の割り込みが入るようにすればよい。
【００５０】
以上の実施形態について補足する。
【００５１】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。各ブロックの役割分担について、あるブロックの一部の機能を他のブロックの一部の機能としてもよい。
【００５２】
またリモコン１０９、リモコン受信部１９の代わりに、本体に設けた操作子から入力を受け付けてもよい。また、音声信号をテレビ１０２に出力するのではなく、別のオーディオ機器に出力してもよい。また、以上の実施形態により、音声入出力用電源１７、映像ＲＧＢ入出力用電源１８の節電を行う上では、映像入出力コンポジット用電源１３、リモコン受信部１９、レコーダ本体部２、メイン電源３は必須ではない。
【００５３】
以上の説明では、音声入出力用電源１７は、音声信号を左右２チャンネルしか設けていないが、より多数のチャンネル、例えば５．１ｃｈサラウンドの音声信号チャンネルの出力を設けてもよい。
【００５４】
また、以上の実施形態では、スカートコネクタを備えるＤＶＤレコーダ１としたが、映像信号を中継する機器であり、かつ、映像信号の入力とほぼ同時に制御信号が入力される機器であれば、どのような装置へも応用が可能である。例えば、レコーダ１を、映像出力するビデオカメラ、カメラ、ビデオデッキ、ＰＣ、テレビゲーム機器から映像信号を入力し、映像信号を中継してテレビ１０２へ接続するような映像出力機器にも応用できる。この場合、この映像出力機器が映像信号に対して、何らかの処理をするときは（例えば、レコーダ１であれば、録画をするときは）、そのメイン電源をオンにする（エンコーダ２１、記録／読取部２２を動作させる）。映像出力機器がこのような処理（例えば録画や再生）をしないときは、スタンバイ状態にする。そして、映像出力機器は、これらの機器（ビデオカメラ、カメラ・・）から入力した映像信号、音声信号をテレビ１０２に中継する。システムの構成機器間で、これらの映像信号と略同時に制御信号を入力する取り決めをしておき、このような制御信号が入力されない場合には、映像信号を中継する部分への電力の供給を停止する。また、ＤＶＤレコーダ１は、これらの機器（ビデオカメラ、カメラ・・）から入力した映像信号、音声信号を選択するセレクタを設けてもよい。この場合には、セレクタへの電力供給を停止する。
【００５５】
また、映像信号は、動画のみならず静止画を伝送しても良い。また、映像信号、音声信号はデジタル信号、アナログ信号のいずれでもよい。
【図面の簡単な説明】
【００５６】
【図１】本実施形態のＤＶＤレコーダと、スクランブル解除機器、テレビを備えた放送受信システムを表わしている。
【図２】本実施形態のＤＶＤレコーダの内部の構成を表わしている。
【図３】本実施形態のＤＶＤレコーダの節電処理のフロー図を表わしている。
【符号の説明】
【００５７】
１−ＤＶＤレコーダ、  １００−放送受信システム、
１０１−アンテナ、  １０２−テレビ、  １０３−スクランブル解除機器、
１０−入出力部、  １１−第１スカートコネクタ、  １２−第２スカートコネクタ、
１３−映像入出力コンポジット用電源、  １４−マイコン、
１５−パワーオン電源、  １６−第２電子スイッチ、
１７−音声入出力用電源、  １８−映像ＲＧＢ入出力用電源、
１９−リモコン受信部、
１３１−ＡＶ１−Ｖ−ＩＮ、  １３２−ＡＶ２−Ｖ−ＯＵＴ、
１３３−ＡＶ１−Ｖ−ＩＮ、  １３４−ＡＶ２−Ｖ−ＯＵＴ、
１４１−８ｐｉｎ入力、  １４２−１６ｐｉｎ入力、
１４３−８ｐｉｎ出力、  １４４−１６ｐｉｎ出力、
１７１−ＡＶ１−Ａ−ＩＮ−Ｌ、  １７２−ＡＶ１−Ａ−ＩＮ−Ｒ、
１７３−ＡＶ２−Ａ−ＯＵＴ−Ｒ、  １７４−ＡＶ２−Ａ−ＯＵＴ−Ｒ、
１７５−ＡＶ１−Ａ−ＩＮ−Ｌ、  １７６−ＡＶ１−Ａ−ＩＮ−Ｒ、
１７７−ＡＶ２−Ａ−ＯＵＴ−Ｌ、  １７８−ＡＶ２−Ａ−ＯＵＴ−Ｒ、
１８１−Ｒ入力、  １８２−Ｇ入力、  １８３−Ｂ入力、
１８４−Ｒ出力、  １８５−Ｇ出力、  １８６−Ｂ出力、
２−レコーダ本体部、  ２１−エンコーダ、  ２２−記録／読取部、
２３−記録媒体、  ２４−デコーダ、  ２５−ＯＳＤ合成部、
２６−受信部、  ２９−制御部、  ３−メイン電源、  ３１−第１電子スイッチ、
１０４−第１ケーブル、  １０５−第２ケーブル、
１０６−第３スカートコネクタ、  １０７−第４スカートコネクタ、
１０８−第５スカートコネクタ、  １０９−リモコン１０９、
端子Ｔ１〜Ｔ２１、  端子ｔ１〜ｔ２１
【図１】
2009049832.tif 000003
【図２】
2009049832.tif 000004
【図３】
2009049832.tif 000005